(57)【特許請求の範囲】
【請求項１】
装置本体と、
この装置本体に上下に重なった閉状態と平面的に並んだ開状態とに開閉可能に連結された蓋体と、
この蓋体に設けられた電波を受信するアンテナ部と、
前記蓋体の表面に配置された指針を駆動し時刻を示す時計手段と、
前記アンテナ部による電波の受信時に、前記時計手段による前記指針の動作を停止させる第１の制御手段と、
前記アンテナ部による電波の受信状況を取得する取得手段と、
この取得手段により取得された受信状況が良好であると判断した位置に前記指針を停止させる第２の制御手段とを備え、
前記閉状態で前記蓋体と対向する前記受信装置本体の表面部に、情報を表示する表示部が設けられていることを特徴とする表示付受信装置。
【請求項２】
前記閉状態で前記装置本体と対向する前記蓋体の裏面部に、情報を表示する他の表示部が設けられたことを特徴とする請求項１記載の表示付受信装置。
【請求項３】
前記指針は複数本であって、前記第２の制御手段は、前記アンテナ部による電波の受信時に前記複数本の指針を同一位置に停止させることを特徴とする請求項１記載の表示付受信装置。
【請求項４】
前記アンテナ部は衛星から送られた測位情報を含む電波の受信用であって、さらに、前記アンテナ部により受信した電波に含まれる測位情報に基づき現在位置を計測する測位手段と、この測位手段による現在位置の計測動作が終了したことを報知する報知手段とを備えたことを特徴とする請求項１記載の表示付受信装置。
【請求項５】
表示部を備えている装置本体と、
電波を受信するアンテナ部と、
前記表示部に接近して配置された指針を駆動し時刻を示す時計手段と、
前記アンテナ部による電波の受信時に、前記時計手段による前記指針の動作を停止させる第１の制御手段と、
前記アンテナ部による電波の受信状況を取得する取得手段と、
この取得手段により取得された受信状況が良好であると判断した位置に前記指針を停止させる第２の制御手段と、
を備えていることを特徴とする表示付受信装置。
【発明の詳細な説明】
【０００１】
【発明の属する技術分野】
本発明は、電波により送られた情報を受信するとともに受信結果等の各種の表示を行う表示器を備えた表示付受信装置であって、特にＧＰＳによる位置計測を行うＧＰＳ受信機に用いて好適な表示付受信装置に関する。
【０００２】
【従来の技術】
従来、ＧＰＳを利用するＧＰＳ受信機として車載用のナビゲーション装置や、電池を電源として動作する携帯型のＧＰＳ受信機が広く用いられており、携帯型のものにあっては小型化が進み、近時では腕時計型のＧＰＳ受信機が実用化されるに至っている。また、このような携帯型のＧＰＳ受信機では、計測した緯度・経度等の表示に液晶表示器を用いることにより装置の小型化を実現するとともに、アンテナと液晶表示器とを面的に並べて配置することにより、液晶表示器の動作に伴い生ずるノイズの影響により受信障害が発生することが防止されている。
【０００３】
【発明が解決しようとする課題】
しかしながら、携帯型のＧＰＳ受信機においては、前述したようにアンテナと表示器とを平面的に並んで配置する必要があることから、装置の小型化には自ずと限界があった。無論、かかる問題は表示器を小型のものに変更すれば解消できるが、その場合には一度に表示可能な情報量が低下するという新たな問題が生じることとなっていた。
【０００４】
本発明は、かかる従来の課題に鑑みてなされたものであり、一度に表示可能な情報量を確保しつつ、装置のより一層の小型化が可能となる表示付受信装置を提供することを目的とする。
【０００５】
【課題を解決するための手段】
前記課題を解決するために、この発明にあっては、次の構成を備えている。
【０００７】
請求項１の発明によれば、蓋体を装置本体に上下に重なった閉状態と平面的に並んだ開状態とに開閉可能に連結することができる。また、蓋体の表面に配置された指針を駆動し時刻を示すことができるばかりでなく、アンテナ部による電波の受信時には、指針の動作を停止させることにより、指針の駆動に伴い発生するノイズの影響を受けることなく良好な受信ができる。さらに、アンテナ部による電波の受信状況を取得し、この取得された受信状況が良好であると判断した位置に指針を停止させることができ、常に電波の受信が確実に行える。
【０００８】
また、請求項２の発明によれば、前記閉状態で前記装置本体と対向する前記蓋体の裏面部に、情報を表示する他の表示部が設けられているので、蓋体を閉状態としたときの装置の外形寸法を小さくしても、蓋体を開状態としたときの情報の表示面積が容易に確保できる。
【００１０】
また、請求項３の発明によれば、指針の影響をあまり受けることなく電波の受信ができる。
【００１２】
また、請求項４の発明によれば、蓋体を開状態としなくとも、報知手段による報知によって現在位置の計測が完了したことを知ることができる。
請求項５の発明によれば、指針の影響をあまり受けることなく電波の受信が良好に行うことができる。
【００１３】
【発明の実施の形態】
（第１の実施の形態）
以下、本発明の第１の実施の形態を図にしたがって説明する。図１は、本発明にかかるＧＰＳ受信機１を示す平面図である。
【００１４】
ＧＰＳ受信機１は長方形の外形形状を有するケース２によって形成されており、ケース２の上面には表示部３と操作部４とが設けられている。表示部３は、ケース２表面の左側半分の全域を占める第１の表示領域３ａと、右側半分の操作部４を除いた全域を占める第２の領域とからなり、操作部４には操作スイッチ５が複数設けられている。また、前記第１及び第２の表示領域３ａ，３ｂは、図２に示すように、ケース２内の上部に配置されるとともに図示しない風防ガラスによって覆われた第１のＬＣＤパネル６と第２のＬＣＤパネル７とによって各々構成されている。第１のＬＣＤパネル６は可視光線が通過可能な透過型であって、その裏面側には、ＧＰＳ衛星からのＬ１帯の電波を受信する平板状のＧＰＳアンテナ８が収容されており、第１のＬＣＤパネル６を介して前記電波が受信されるようになっている。また、第２のＬＣＤパネル７の裏面側には、ＧＰＳ受信機１の後述するメインモジュール１１、ＧＰＳモジュール１２を構成する各種の電子部品からなるモジュール体９、及び電池等が収容されている。
【００１５】
図３は、ＧＰＳ受信機１の電気的構成を示すブロック図であって、ＧＰＳ受信機１は、メインモジュール１１とＧＰＳモジュール１２とから構成されている。ＧＰＳモジュール１２は、前記ＧＰＳアンテナ８やＲＦ、Ａ／Ｄ等で構成された受信部１３と、受信部１３で受信した電波からエフェメリスデータやアルマナックデータといった測位情報を解読するのに必要なデータレジスタ、カウンター、デコーダー、及びそれらの制御を行うＣＰＵ等からなる信号処理部１４を備えている。また、信号処理部１４には、前記ＣＰＵのプログラムを格納する読み出し専用のマスクＲＯＭ１５と、位置計測作業に伴い各種データを保存するとともに、前記ＣＰＵの演算用のレジスタとして用いられる読み書き可能なＳＲＡＭ１６とが接続されている。ＧＰＳモジュール１２は、入力データ線ａ及び出力データ線ｂを介して、前記メインモジュール１１が有するＣＰＵ１７と接続されており、位置計測結果等の各種情報をＣＰＵ１７へ送出する。
【００１６】
ＣＰＵ１７は、ＲＯＭ１８に格納された制御プログラムに従いＲＡＭ１９をワーキングメモリとしてＧＰＳ受信機１の各部を制御する。なお、ＲＯＭ１８には前記制御プログラムと共に各種のデータが記憶されている。また、ＣＰＵ１７には時計部２０、スイッチ入力部２１、第１の表示部２２、第２の表示部２３が接続されている。時計部２０は、現在時刻をカウントしてＣＰＵ１７へ送出するための水晶発振器等で構成され、スイッチ入力部２１は、ＧＰＳ受信機１の操作に用いられる前述した複数のスイッチ５により構成されている。第１の表示部２２及び第２の表示部２３は、前述した第１のＬＣＤパネル６及び第２のＬＣＤパネル７と、その駆動回路とからそれぞれ構成されており、各々がアドレス線ｃ及びデータ線ｄによってＣＰＵ１７と接続されている。また、第１の表示部２２側のアドレス線ｃ及びデータ線ｄとＣＰＵ１７との間には、前記駆動回路による第１のＬＣＤパネル６の表示動作を必要に応じて停止させるための表示オフ線ｅが設けられている。
【００１７】
次に、以上の構成からなるＧＰＳ受信機１において、ＣＰＵ１７によって実行される位置計測処理にかかる動作を図４のフローチャートに従い説明する。すなわち、ＣＰＵ１７は使用者によって所定の計測操作が行われると、先ず第１の表示部２２における第１のＬＣＤパネル６の表示動作を停止した後（ステップＳＡ１）、計測処理を開始し（ステップＳＡ２）、計測が終了するまでその状態を維持する（ステップＳＡ３でＮＯ）。そして、計測が終了すると（ステップＳＡ３でＹＥＳ）、第１の表示部２２における第１のＬＣＤパネル６の表示動作を再開し（ステップＳＡ４）、計測結果を表示し位置計測を終了する。なお、電波の受信状況が悪く所定時間が経過しても計測できない場合には、その時点で計測を終了し第１のＬＣＤパネル６の表示動作を再開する。そして、かかる動作中においては、使用者によって計測操作が行われたとき、例えば図５（ａ）に示すように、第１の表示領域３ａに予め使用者により設定されたルートを示す簡易地図が表示され、かつ第２の表示領域３ｂに日付と時刻が表示された状態にあれば、計測操作に伴い、いったん図５（ｂ）に示すように第２の表示領域３ｂにて日付と時刻の表示のみを表示した状態となり、位置計測ができた時点で、図５（ｃ）に示すように、第１の表示領域３ａに現在位置を示す簡易地図と、現在地の緯度・経度が表示されることとなる。
【００１８】
ここで、以上の計測動作時には、ＧＰＳアンテナ８によって電波を受信する際、第１のＬＣＤパネル６の表示動作を停止しているため、ＧＰＳ受信機１の上面のほぼ全域に表示部３（第１及び第２の表示領域３ａ，３ｂ）とした構成であっても、ＧＰＳアンテナ８は第１のＬＣＤパネル６を透過した電波を電気的ノイズの影響を受けることなく受信できる。このため、ケース２の外形寸法を小さくした場合であっても、表示部３には十分な面積を確保することができる。よって、一度に表示可能な情報量を確保しつつ、従来のものに比べ装置の小型化を図ることが可能である。なお、前述した第２の表示部２３（第２のＬＣＤパネル７）を廃止し、第１の表示部２２（第１のＬＣＤパネル７）のみで各種の情報を表示する構成としてもよい。その場合であっても、一度に表示可能な情報量を確保しつつ、従来のものに比べ装置の小型化が可能である。
【００１９】
また、本実施の形態では、第２の表示部２３（第２のＬＣＤパネル７）を有することにより、使用者に対して常に情報（前述した例では日付と時刻）を提供することができ、同時に一度に表示可能な情報量が多く都合がよい。しかも、第１及び第２の表示領域３ａ，３ｂを第１及び第２のＬＣＤパネル６，７によって個別に構成したため、それらには汎用的なディバイスを用いることができ、ＧＰＳ受信機１を低コストで提供できる。なお、表示部３は、必要に応じて所望の表示領域のみの表示駆動が可能な透過型のＬＣＤパネルによって構成してもよい。
【００２０】
（第２の実施の形態）
図６は、本発明の第２の実施の形態を示すＧＰＳ受信機３１を示す平面図、図７は、それと対応する模式断面図である。このＧＰＳ受信機３１は腕時計型であって、略正方形の平面形状を有するとともにベルト３２，３２が設けられた本体３３と、その右辺側にヒンジを介して開閉自在に連結された蓋体３４とから構成されている。本体３３には、一方のベルト３２の取り付け部分に操作スイッチ３５が複数設けられている。また、図７に示すように本体３３の内部には、本体３３の表面側に第１のＬＣＤパネル３６が配置され、その裏面側には、ＧＰＳ受信機３１の後述するメインモジュール１１、ＧＰＳモジュール１２を構成する各種の電子部品からなるモジュール体３７及び電池等が収容されている。前記蓋体３４の内部には、本体３３と重なった図６（ａ）及び図７（ａ）に示した閉状態で本体３３と対向する裏面側に第２のＬＣＤパネル３８が収容され、その表面側にはアンテナ・アナログ針部３９が収容されている。アンテナ・アナログ針部３９は、平板状のＧＰＳアンテナ４０、ＧＰＳアンテナ４０の表面４０ａを文字盤として時刻を示す時針４１及び分針４２、時針４１及び分針４２を駆動するためのムーブメントによって構成されている。なお、ムーブメントは、時針４１及び分針４２に通常の時刻表示の動作を行わせるだけでなく後述する所定の動作を行わせるためのアクチュエータを有するものであって、図示しないが第２のＬＣＤパネル３８側に接して配置されている。また、ムーブメントから延出する時針４１及び分針４２の駆動軸はＧＰＳアンテナ４０の中心部を貫通している。
【００２１】
図８は、ＧＰＳ受信機３１の電気的構成を示すブロック図である。ＧＰＳ受信機３１はメインモジュール１１とＧＰＳモジュール１２とから構成されている。以下、第１の実施の形態で図３に示したものと異なる部分について説明すると、本実施の形態においては、時計部２０に前述したムーブメントを構成する前述したアクチュエータ４３が接続されている。また、ＣＰＵ１７にはアラーム音を発生するための回路及び発音ディバイス等からなる報知部４４と、前記第１のＬＣＤパネル３６及びその駆動回路からなる第１の表示部４５、前記第２のＬＣＤパネル３８及びその駆動回路からなる第２の表示部４６が接続されている。
【００２２】
次に、以上の構成からなるＧＰＳ受信機３１において、ＣＰＵ１７によって実行される位置計測処理にかかる動作を図８のフローチャートに従い説明する。すなわち、ＣＰＵ１７は、蓋体３４が図６（ａ）及び図７（ａ）に示した閉状態で使用者により所定の計測操作が行われることによって動作を開始し、先ず、時針４１及び分針４２を同一位置、例えば１２時を指し示す位置に駆動し停止させる（ステップＳＢ１）。次に、時針４１及び分針４２による受信妨害が無いか否かを電波の受信状況に基づき判断する（ステップＳＢ２）。かかる判断は、例えばＧＰＳモジュール１２側で衛星の捕捉を行わせ、補足できた衛星数が５つ以上の場合には「受信妨害無し」、４つ以下の場合には「受信妨害有り」とするといった予め決められている所定の判断基準に従い行う。そして、ステップＳＢ２の判断結果がＮＯであって、受信妨害があると判断される間においては、時針４１及び分針４２を共に所定量、例えば５分刻みに移動させた後（ステップＳＢ３）、再び受信妨害が無いか否かを判断する。
【００２３】
そして、上記処理を繰り返す間に受信妨害が無いと判断されると（ステップＳＢ２でＹＥＳ）、計測処理を開始し（ステップＳＢ４）、計測が終了するまでその状態を維持する（ステップＳＢ５でＮＯ）。その後、計測が終了すると（ステップＳＢ５でＹＥＳ）、アラーム音を発生し（ステップＳＢ６）、計測結果等を第１及び第２のＬＣＤパネル３６，３８に表示した後（ステップＳＢ７）、時針４１及び分針４２の通常の動作を再開し（ステップＳＢ８）、処理を終了する。したがって、使用者は、アラーム音が鳴った時点で蓋体３４を図６（ｂ）及び図７（ｂ）に示した開状態とすることにより計測結果等を知ることかができる。なお、前述した処理においては、前述したステップＳＢ２、ステップＳＢ３の処理で、時針４１及び分針４２を１周させても、例えば５つ以上の衛星が捕捉できず「受信妨害無し」の状態が得られなかった場合には、その間で衛星の捕捉数が最も多い位置つまり受信状態が最も良好であった位置に時針４１及び分針４２を移動させる。
【００２４】
以上説明した本実施の形態においては、位置計測が終了した時点で蓋体３４を開状態とすれば計測結果を知ることができ、しかも、第１及び第１のＬＣＤパネル３６には蓋体３４を閉状態としたときの装置上面とほぼ同様の表示面積を確保することができる。また、蓋体３４を閉状態としたまま位置計測を行うことにより第１及び第２のＬＣＤパネル３６，３８からの電気的ノイズの影響を受けることなく電波の受信を行い得る。よって、一度に表示可能な情報量を確保しつつ、従来のものに比べ装置の小型化を図ることが可能である。さらに、蓋体３４の裏面側に第２のＬＣＤパネル３８が設けられているため、本体３３の外形寸法つまり第１のＬＣＤパネル３６の表示面積を小さくしても一度に表示可能な情報量の確保が容易であり、これによっても装置の小型化が可能である。また、使用者は蓋体３４を開くタイミングをアラーム音によって的確に知ることができることから、位置計測中に蓋体３４が開けられることにより計測動作が中断されてしまうことがなく、常に最短時間で現在位置を計測することができる。
【００２５】
また、蓋体３４を閉状態であるときには、通常のアナログ時計として使用することができるため便利である。しかも、位置計測時には時針４１及び分針４２の動作を停止させ、かつ受信妨害を生じさせない最も受信状況が良好な位置に移動させるため常に電波の受信を確実に行うことができ、電波の受信機能を維持することができる。なお、この点については、位置計測時に少なくとも時針４１及び分針４２の動作を停止させれば指針の影響をあまり受けずに電波を受信することが可能であり、また両者の停止位置を同一位置とすれば、より顕著な効果が得られる。
【００２６】
また、本実施の形態においては、蓋体３４の裏面側に第２のＬＣＤパネル３８を設けたものを示したが、第２のＬＣＤパネル３８を設けなくとも、蓋体３４にＧＰＳアンテナを設けた構成であれば、一度に表示可能な情報量を確保しつつ、従来のものに比べ装置の小型化を図ることが可能である。次に、その一例を示す。
【００２７】
（第３の実施の形態）
図１０は、本発明の第３の実施の形態を示すＧＰＳ受信機５１を示す平面図、図１１は、それと対応する模式断面図である。ＧＰＳ受信機５１も本体３３と、それに開閉自在に連結された蓋体３４とから構成されている。蓋体３４の内部には、本体３３と重なった閉状態（図１０（ａ）及び図１１（ａ）に示した状態）で本体３３と対向する裏面側に平板状のＧＰＳアンテナ５２が収容されており、その表面側には文字盤５３、時針４１及び分針４２、図示しないムーブメント等からなるアナログ針部５４が収容されている。また、これ以外の本体３３の構成については、第２の実施の形態に示したものと同様であるため、同一の符号を付し説明を省略する。なお、ＧＰＳ受信機５１の電気的な構成については、図８に示した構成から第２の表示部４６を廃止するとともに、前記アクチュエータ４３に代えて前述したムーブメントを構成するステップモータが時計部２０に接続された構成である。
【００２８】
かかる構成においては、蓋体３４を図１０（ｂ）及び図１１（ｂ）に示した開状態として所定の計測操作を行えば、計測結果等の情報がＬＣＤパネル３６に表示される。しかも、ＬＣＤパネル３６に日付や時刻等を表示したままで位置計測を行ったとしても、そこで発生する電気的ノイズの影響を受けることなくＧＰＳアンテナ５２によって電波の受信を良好に行うことができる。したがって、本実施の形態においても、ＬＣＤパネル３６にはＧＰＳアンテナ５２の存在と関係なく装置上面とほぼ同様の表示面積を確保することができ、一度に表示可能な情報量を確保しつつ、従来のものに比べ装置の小型化が可能である。
【００２９】
また、本実施の形態においては、前述したムーブメントの大きさをＧＰＳアンテナ５２を覆い隠さない面積とすれば、蓋体３４を閉状態としたままでもＧＰＳアンテナ５２による電波の受信が可能である。その場合には、時針４１及び分針４２を駆動するムーブメントを、第２の実施の形態と同様のものとし、位置計測時における時針４１及び分針４２の動作を前述した第２の実施の形態と同様に制御すれば、常に電波の受信を確実に行うことができる。
【００３０】
【発明の効果】
以上説明したように本発明の表示付受信装置によれば、蓋体を装置本体に上下に重なった閉状態と平面的に並んだ開状態とに開閉可能に連結することができる。
また、蓋体の表面に配置された指針を駆動し時刻を示すことができるばかりでなく、アンテナ部による電波の受信時には、指針の動作を停止させることにより、指針の駆動に伴い発生するノイズの影響を受けることなく良好な受信ができる。
さらに、アンテナ部による電波の受信状況を取得し、この取得された受信状況が良好であると判断した位置に指針を停止させることができ、常に電波の受信が確実に行える。
【００３１】
また、請求項２の発明によれば、前記閉状態で前記装置本体と対向する前記蓋体の裏面部に、情報を表示する他の表示部が設けられているので、蓋体を閉状態としたときの装置の外形寸法を小さくしても、蓋体を開状態としたときの情報の表示面積が容易に確保できるため、より大きな効果が得られる。
【００３２】
また、請求項３の発明によれば、指針の影響をあまり受けることなく電波の受信ができる。
また、請求項４の発明によれば、蓋体を開状態としなくとも、報知手段による報知によって現在位置の計測が完了したことを知ることができる。
請求項５の発明によれば、指針の影響をあまり受けることなく電波の受信が良好に行うことができる。
【図面の簡単な説明】
【図１】本発明の第１の実施の形態を示すＧＰＳ受信機の模式平面図である。
【図２】図１のＸ−Ｘ線に沿う模式断面図である。
【図３】同実施の形態における電気的構成を示すブロック図である。
【図４】同実施の形態におけるＣＰＵによる位置計測処理にかかる動作を示すフローチャートである。
【図５】位置計測時の表示部における表示動作を示す遷移図である。
【図６】本発明の第２の実施の形態を示すＧＰＳ受信機の平面図であって、（ａ）は蓋体を閉じた非計測時の状態、（ｂ）は蓋体を開いた計測時の状態を示す図である。
【図７】図６（ａ）、（ｂ）にそれぞれ対応する模式断面図である。
【図８】同実施の形態における電気的構成を示すブロック図である。
【図９】同実施の形態におけるＣＰＵによる位置計測処理にかかる動作を示すフローチャートである。
【図１０】本発明の第３の実施の形態を示すＧＰＳ受信機の平面図であって、（ａ）は蓋体を閉じた非計測時の状態、（ｂ）は蓋体を開いた計測時の状態を示す図である。
【図１１】図９（ａ）、（ｂ）にそれぞれ対応する模式断面図である。
【符号の説明】
１    ＧＰＳ受信機
３    表示部
３ａ  第１の表示領域
３ｂ  第２の表示領域
６    第１のＬＣＤパネル
７    第２のＬＣＤパネル
８    ＧＰＳアンテナ
１７    ＣＰＵ
２０    時計部
３１    ＧＰＳ受信機
３３    本体
３４    蓋体
３６    第１のＬＣＤパネル
３８    第２のＬＣＤパネル
３９    アンテナ・アナログ針部
４０    ＧＰＳアンテナ
４１    時針
４２    分針
４４    報知部
５１    ＧＰＳ受信機
５２    ＧＰＳアンテナ
【図１】
0004337178.tif 000002
【図２】
0004337178.tif 000003
【図３】
0004337178.tif 000004
【図４】
0004337178.tif 000005
【図５】
0004337178.tif 000006
【図６】
0004337178.tif 000007
【図７】
0004337178.tif 000008
【図８】
0004337178.tif 000009
【図９】
0004337178.tif 000010
【図１０】
0004337178.tif 000011
【図１１】
0004337178.tif 000012